(57)【特許請求の範囲】
【請求項１】
密閉容器内に電動要素と、この電動要素により駆動され冷媒を圧縮する回転圧縮要素とを収容した圧縮機を室外機の底板に固定する圧縮機の固定構造において、
前記密閉容器に設けられた脚片部と前記底板との間に介装される防振部材を備え、この防振部材は、前記脚片部と前記底板とを締結する締結具が貫通する貫通孔を備え、この貫通孔には、前記締結具を囲うように前記防振部材よりも硬いカラー部材が配置され、
前記カラー部材は、前記締結具のねじ部が遊嵌される第１カラー部材と、この第１カラー部材の下端部が挿し込まれて当該第１カラー部材を支持する支持部及び前記締結具と螺合する雌ねじ部を同心上に有する第２カラー部材とを備え、この第２カラー部材を前記底板に固着し、前記第２カラー部材の前記第１カラー部材が遊嵌される部分は、前記第２カラー部材の基端部より太く形成されていることを特徴とする圧縮機の固定構造。
【請求項２】
前記第２カラー部材は、前記支持部と前記雌ねじ部とを一体に形成されたことを特徴とする請求項１に記載の圧縮機の固定構造。
【請求項３】
前記カラー部材は、前記底板上に載置した際に、この底板の載置面から当該カラー部材の先端部の上面までの高さが前記防振部材の前記貫通孔と略同じ高さに形成されていることを特徴とする請求項１または請求項２に記載の圧縮機の固定構造。
【請求項４】
前記圧縮機は、前記電動要素が電源周波数に依存した回転数で回転する定速圧縮機であることを特徴とする請求項１から請求項３のいずれか一項に記載の圧縮機の固定構造。
【発明の詳細な説明】
【技術分野】
【０００１】
本発明は、空気調和装置の室外機の底板に圧縮機を固定する圧縮機の固定構造に関する。
【背景技術】
【０００２】
従来、空気調和装置の室外機に搭載される圧縮機として、密閉容器内に電動要素と、この電動要素により駆動され冷媒を圧縮する回転圧縮要素とを収容した密閉型圧縮機が知られている。この種の圧縮機は、密閉容器の下端部に複数の脚片部を備え、各脚片部を室外機の底板にボルト等の締結具で固定する際に当該脚片部と底板との間に防振部材を介在させている。この防振部材は、ゴム等の弾性材料で形成されるため、圧縮機の運転時に密閉容器に発生する振動を防振部材で吸収することにより、底板への振動の伝達を抑制している（例えば、特許文献１参照）。
【先行技術文献】
【特許文献】
【０００３】
【特許文献１】特開２００９−１６２１２０号公報
【発明の概要】
【発明が解決しようとする課題】
【０００４】
しかしながら、圧縮機が起動する場合には、密閉容器内で回転圧縮要素が回転を開始することにより、この回転に追従するために密閉容器に大きなトルクが発生する。起動時に発生する大きなトルクは、脚片部を介して防振部材を大きく変形させることにより、上記締結具に多大な応力がかかるといった問題がある。
本発明は、上述した事情に鑑みてなされたものであり、圧縮機の起動時に締結具に生じる応力の緩和を図った圧縮機の固定構造を提供することを目的とする。
【課題を解決するための手段】
【０００５】
上記目的を達成するために、本発明は、密閉容器内に電動要素と、この電動要素により駆動され冷媒を圧縮する回転圧縮要素とを収容した圧縮機を室外機の底板に固定する圧縮機の固定構造において、前記密閉容器に設けられた脚片部と前記底板との間に介装される防振部材を備え、この防振部材は、前記脚片部と前記底板とを締結する締結具が貫通する貫通孔を備え、この貫通孔には、前記締結具を囲うように前記防振部材よりも硬いカラー部材が配置され、前記カラー部材は、前記締結具のねじ部が遊嵌される第１カラー部材と、この第１カラー部材の下端部が挿し込まれて当該第１カラー部材を支持する支持部及び前記締結具と螺合する雌ねじ部を同心上に有する第２カラー部材とを備え、この第２カラー部材を前記底板に固着し、前記第２カラー部材の前記第１カラー部材が遊嵌される部分は、前記第２カラー部材の基端部より太く形成されていることを特徴とする。
【０００６】
この構成において、前記第２カラー部材は、前記支持部と前記雌ねじ部とを一体に形成されても良い。
【０００７】
また、この構成において、前記カラー部材は、前記底板上に載置した際に、この底板の載置面から当該カラー部材の先端部の上面までの高さが前記防振部材の前記貫通孔と略同じ高さに形成されていても良い。また、前記圧縮機は、前記電動要素が電源周波数に依存した回転数で回転する定速圧縮機であっても良い。
【発明の効果】
【０００８】
本発明によれば、密閉容器に設けられた脚片部と底板との間に介装される防振部材を備え、この防振部材は、脚片部と底板とを締結する締結具が貫通する貫通孔を備え、この貫通孔には、締結具を囲うように防振部材よりも硬いカラー部材を配置し、このカラー部材を底板に固着するとともに当該カラー部材に締結具と螺合する雌ねじ部を設けたため、この雌ねじ部に螺合された締結具及びカラー部材が底板上を移動することが規制される。このため、カラー部材が防振部材の変形を抑制することにより、圧縮機の起動時に締結具に生じる応力を緩和することができる。また、第１カラー部材と第２カラー部材とを分割することにより、第２カラー部材を簡単な形状とすることができ、第２カラー部材を安価かつ簡単に製作することができる。さらに、第２カラー部材の支持部を第１カラー部材よりも太く形成することにより、第２カラー部材の支持部の強度を向上させることができ、脚片部から受けたせん断応力によって、カラー部材全体に作用する曲げモーメントによる当該カラー部材のひずみを小さく抑えることができ、従って、マウントゴムの変形をさらに抑えることができるため、圧縮機の起動時にボルトに生じる応力を緩和することができる。
【図面の簡単な説明】
【０００９】
【図１】圧縮機が底板に固定された状態を示す室外機の部分斜視図である。
【図２】圧縮機の固定構造を示す室外機の部分斜視図である。
【図３】圧縮機の固定構造を示す側断面図である。
【図４】第２カラー部材の斜視図である。
【図５】固定構造の各部材の配置構成を示す分解視図である。
【図６】別の実施形態にかかる圧縮機の固定構造を示す側断面図である。
【発明を実施するための形態】
【００１０】
以下、図面を参照して本発明の一実施の形態について説明する。
図１において、符号２は空気調和装置の室外機を示す。この室外機２は、底板１０の上に、能力一定型（定速）の圧縮機１１と、四方弁１５とを備えるとともに、更には図示を省略したアキュムレータ、オイルセパレータ、室外熱交換器、室外膨張弁、レシーバタンク等を備え、これら各機器を配管接続することにより概略構成されている。この室外機２は、不図示のガス管及び液管により室内機に接続されている。
圧縮機１１は、密閉形のスクロールコンプレッサであり、密閉容器６１と、この密閉容器６１内に収容され、電源周波数に依存する略一定の回転数で駆動される電動要素（不図示）と、この電動要素により駆動されて冷媒を圧縮する回転圧縮要素（不図示）とを備える。この密閉容器６１は、高さ方向に長い円筒形容器であり、密閉容器６１の下部には、放射状に延出する複数の脚片部６２が設けられている。
また、密閉容器６１の上部には、上記回転圧縮要素により圧縮された冷媒を吐出する冷媒吐出管３２が接続され、密閉容器６１の下部には当該密閉容器６１内に冷媒を導く冷媒吸込管（不図示）及び密閉容器６１内のオイル量を調整するオイル管３７が接続されている。
【００１１】
底板１０は、板金をプレス加工等により折り曲げて形成されたものであり、圧縮機１１の各脚片部６２が固定される箇所には、底板１０の上に当該底板１０を補強する補強板（底板）７２が取り付けられている。本明細書では、「底板」には、上記した底板１０に加えて当該底板１０上に補強板７２を取り付けた状態を含むものとする。補強板７２は、底板１０の板厚よりも厚く形成された板材であり、底板１０の剛性を高めて圧縮機１１が運転時の振動を抑えるとともに、圧縮機１１を固定する際の底板１０との締結強度を高めている。
【００１２】
圧縮機１１は、底板１０上に取り付けられた補強板７２に固定される。具体的には、図２に示すように、圧縮機１１の各脚片部６２と補強板７２との間にはマウントゴム（防振部材）６３が介装されて、この脚片部６２及びマウントゴム６３を上方から平ワッシャ６４付きのボルト６５で貫通し、このボルト６５を補強板７２に締結する。
このマウントゴム６３は、圧縮機１１が運転中に生じた振動を吸収し、底板１０及び補強板７２に伝達されることを抑える機能を有する。
しかし、定速の圧縮機１１が起動する場合には、密閉容器６１内で回転圧縮要素が急に回転を開始することにより、この急激な回転に追従するために密閉容器６１に大きなトルクが発生する。起動時に発生する大きなトルクは、脚片部６２を介してマウントゴム６３を大きく変形させることにより、脚片部６２と補強板７２とを締結するボルト６５に多大な応力がかかるといった問題がある。マウントゴム６３の硬度を高めると、ボルト６５にかかる応力を軽減することも可能であるが、圧縮機１１が運転中に生じる振動を抑える機能が低下して底板１０及び補強板７２が振動することとなる。このため、本構成では、マウントゴム６３の硬度を高めることなくボルト６５への応力集中を緩和する固定構造に特徴を有する。
【００１３】
図３は、本実施形態にかかる圧縮機の固定構造を示す側断面図である。
本構成の圧縮機の固定構造では、マウントゴム６３の内側にボルト６５を囲むようにカラー部材７０を配置するとともに、このカラー部材７０を補強板７２に固着することにより、圧縮機１１の起動時に密閉容器６１に作用する回転トルクに伴う当該マウントゴム６３の変形を抑制するとともに、上記ボルト６５への応力集中を緩和している。
【００１４】
脚片部６２は、図３に示すように、上面部６２Ａと、この上面部６２Ａの縁部から下方に延びる側面部６２Ｂとを備え、この側面部６２Ｂとマウントゴム６３の上端部とが側面視でオーバーラップするようになっている。これによって、マウントゴム６３は、密閉容器６１及び脚片部６２の動作に追従して動き、この密閉容器６１の振動を吸収して当該振動が補強板７２及び底板１０に伝達されることを抑制する。
【００１５】
マウントゴム６３は、このマウントゴム６３内に上記カラー部材７０を収容する貫通孔６３Ａを備える。この貫通孔６３Ａは、マウントゴム６３の略中央部を上下に貫通するとともに、後述するカラー部材７０と同様な形状、すなわち貫通孔６３Ａの下部が上部よりも階段状に拡径した形状に形成されている。
マウントゴム６３の上面６３Ｃには、貫通孔６３Ａの周囲に当該上面６３Ｃから上方に突出する首部６３Ｂが形成される。この首部６３Ｂは、図３に示すように、マウントゴム６３の上面６３Ｃに脚片部６２を載せて配置した際に、脚片部６２の上面部６２Ａに形成された開口６２Ｃを貫通して脚片部６２の上方に突出する。これにより、貫通孔６３Ａに配置されるボルト６５及びカラー部材７０と、脚片部６２の開口６２Ｃの縁部との間にはマウントゴム６３の首部６３Ｂが延在するため、圧縮機１１の動作により脚片部６２が揺動した場合であっても脚片部６２とボルト６５（カラー部材７０）との接触が防止され、このボルト６５に過剰なせん断力が作用することが防止される。
また、脚片部６２の開口６２Ｃから突出した部分の首部６３Ｂには、この首部６３Ｂの周囲にＯリング７１が配置されている。このＯリング７１は、上記した平ワッシャ６４と脚片部６２の上面部６２Ａとの間に設けられ、輸送時等に脚片部６２に上向きの力がかかっても、金属製の脚片部６２と平ワッシャ６４とが直接接触することを防止するものである。このＯリング７１を配置することにより、脚片部６２に大きな衝撃荷重が付されることを防止することができ、脚片部６２或いはボルト６５にかかる応力を緩和することができる。
【００１６】
カラー部材７０は、マウントゴム６３よりも硬い鉄材などの金属で形成され、図３に示すように、円筒状に形成される第１カラー部材（先端部）７３と、この第１カラー部材７３の下端部７３Ｂが挿し込まれて当該第１カラー部材７３を支持する第２カラー部材７４とを備える。第１カラー部材７３は、ボルト６５のねじ部６５Ａの径よりも僅かに大きい径に形成された孔部７３Ａを有するパイプ材であり、この孔部７３Ａにボルト６５のねじ部６５Ａが遊嵌される。
また、第２カラー部材７４は、第１カラー部材７３を支持する支持部（基端部）７５と、当該第１カラー部材７３の孔部７３Ａ内を貫通したボルト６５のねじ部６５Ａに螺合される雌ねじ部７６とを一体に備え、この雌ねじ部７６は、補強板７２に形成された開口７２Ａを通じて補強板７２の下面側に延在して補強板７２に溶接されている。
【００１７】
第２カラー部材７４は、図４に示すように、大小異径のパイプを同心状に上下に接合した形状をなしており、大径に形成された支持部７５の内周面７５Ａには、第１カラー部材７３の下端部７３Ｂ（図３）が挿し込まれて嵌合される。また、小径に形成された雌ねじ部７６の内周面７６Ａには、ボルト６５のねじ部６５Ａ（図３）と螺合するねじ７６Ｂが形成される。
本構成では、雌ねじ部７６の内周面７６Ａの内径は、第１カラー部材７３の孔部７３Ａの内径と略同一に形成されていたため、この孔部７３Ａに挿し込まれたボルト６５を容易に雌ねじ部７６に螺合させることができる。
【００１８】
支持部７５の内周面７５Ａと雌ねじ部７６の内周面７６Ａとの間には、階段状に縮径して第１カラー部材７３の下端面７３Ｂ１（図３）と当接する当接面７６Ｃが形成される。この当接面７６Ｃは、第１カラー部材７３の下端面７３Ｂ１と当接することにより、当該第１カラー部材７３の下方への移動を規制する。
雌ねじ部７６の外径は、補強板７２に形成された開口７２Ａに嵌る大きさに形成され、この雌ねじ部７６の外周面７６Ｄと支持部７５の外周面７５Ｂとの間には、階段状に拡径して補強板７２の上面に当接する当接面７５Ｃが形成される。本実施形態では、第２カラー部材７４の雌ねじ部７６を補強板７２の開口７２Ａに上方から嵌め込むことにより、第２カラー部材７４は、当接面７５Ｃが補強板７２に当接し、雌ねじ部７６が補強板７２の下面側に位置した状態で保持される。このため、この状態で雌ねじ部７６の外周面７６Ｄと補強板７２とを溶接することにより、第２カラー部材７４が補強板７２に固着される。
この場合、底板１０には、図３に示すように、第２カラー部材７４の雌ねじ部７６の外径よりも十分に大きな開口１０Ａが形成されており、第２カラー部材７４が溶接された補強板７２を底板１０の上方から当該底板１０に容易に取り付けられるようになっている。
【００１９】
本構成では、カラー部材７０（第１カラー部材７３及び第２カラー部材７４）をマウントゴム６３内の貫通孔６３Ａに配置することにより、このカラー部材７０がマウントゴム６３の軸部材としての役割を果たすため、マウントゴム６３の水平方向（せん断方向）への変形が抑制される。これにより、カラー部材７０の孔部７３Ａに遊嵌されるボルト６５に水平方向の応力が集中することを防止している。さらに、カラー部材７０を構成する第２カラー部材７４は、補強板７２に溶接されるため、カラー部材７０を収容したマウントゴム６３が補強板７２上をスライド移動することが規制される。このため、カラー部材７０がマウントゴム６３の変形を抑制することにより、圧縮機１１の起動時にボルト６５に生じる応力を緩和することができる。
【００２０】
さらに、本構成では、第２カラー部材７４は、ボルト６５に螺合する雌ねじ部７６を備えるため、第２カラー部材７４を補強板７２に溶接した場合、この第２カラー部材７４によって雌ねじ部７６の位置が規定されることにより、この第２カラー部材７４にマウントゴム６３、第１カラー部材７３及びボルトを配置する際の位置合わせを容易に行うことができ、圧縮機１１を補強板７２に固定する作業の容易化を図ることができる。
さらに、本構成では、カラー部材７０は、第１カラー部材７３を第２カラー部材７４に挿し込み自在に分割して構成されているため、第２カラー部材７４を補強板７２に溶接した場合に、この補強板７２の凹凸を抑えることができ、当該補強板７２の取り扱いが容易になる。これに加え、第１カラー部材７３として既存のパイプを使用することができるため、第２カラー部材７４を簡単な形状とすることができ、当該第２カラー部材７４を安価かつ簡単に製作することができる。
【００２１】
また、カラー部材７０は、補強板７２側に位置する第２カラー部材７４の支持部（基端部）７５が密閉容器６１の脚片部６２側に位置する第１カラー部材（先端部）７３よりも大径の凸形状に形成される。本構成では、脚片部６２は、マウントゴム６３の上面６３Ｃに載置されているため、圧縮機１１の起動時に脚片部６２が水平方向に揺動した場合には、カラー部材７０は、脚片部６２から離れた第２カラー部材７４の支持部７５に大きな曲げモーメントが作用する。このため、カラー部材７０は、上述のように、補強板７２側の支持部７５を第１カラー部材７３よりも太く形成することにより、支持部７５の強度を上げたため、脚片部６２から受けたせん断応力によって、カラー部材７０全体に作用する曲げモーメントによる当該カラー部材７０のひずみを小さく抑えることができる。これによって、さらにマウントゴム６３の変形を抑制することができるため、圧縮機１１の起動時にボルト６５に生じる応力を緩和することができる。
【００２２】
また、本構成では、カラー部材７０は、補強板７２に載置される際に補強板７２の載置面と当接する第２カラー部材７４の当接面７５Ｃから第１カラー部材７３の上端部７３Ｃの上面７３Ｃ１までの高さがマウントゴム６３の高さと略同一に形成され、ボルト６５の首下から補強板７２までの高さ位置が、カラー部材７０で決められる構成となっている。これによって、平ワッシャ６４付きのボルト６５でマウントゴム６３を補強板７２（底板１０）に締結する際には、カラー部材７０がボルト６５の締め付け位置を規制するため、マウントゴム６３には、ボルト６５の締め付けによる過剰な垂直方向の軸力がかからない。このため、マウントゴム６３の柔軟性を維持することができ、圧縮機１１が運転中に発生する振動をマウントゴム６３が吸収することができ、底板１０及び補強板７２への振動の伝達を抑制できる。
【００２３】
次に、圧縮機１１を固定する際の組み付け手順について説明する。
まず、第２カラー部材７４の雌ねじ部７６を補強板７２の開口７２Ａに上方から挿し込み、この開口７２Ａを貫通して補強板７２の下面側に位置する雌ねじ部７６と補強板７２とを溶接により固着しておく。
図５に示すように、第２カラー部材７４の支持部７５に対してマウントゴム６３を配置する。この場合、第２カラー部材７４は予め補強板７２に溶接されることにより、支持部７５が突出しているため、この支持部７５に容易にマウントゴム６３を配置することができ、当該マウントゴム６３の位置合わせを容易に行うことができる。
【００２４】
続いて、マウントゴム６３の貫通孔６３Ａに第１カラー部材７３を挿入し、この第１カラー部材７３が第２カラー部材７４の支持部７５に形成された当接面７６Ｃに当接するまで当該支持部７５に挿し込む。これにより、第１カラー部材７３を簡単に規定位置に配置することができる。
次に、マウントゴム６３の上に、圧縮機１１の脚片部６２を載置し、この脚片部６２の開口６２Ｃにマウントゴム６３の首部６３Ｂを配置するとともに、この首部６３Ｂの周囲にＯリング７１を配置し、脚片部６２の上方から平ワッシャ６４付きのボルト６５を第１カラー部材７３の孔部７３Ａに挿入する。この場合、第１カラー部材７３の孔部７３Ａと第２カラー部材７４の雌ねじ部７６とは同心上に配置されることにより、上記ボルト６５を簡単に雌ねじ部７６に螺合することができ、圧縮機１１の固定作業を容易に行うことができる。さらに、ボルト６５の締め込み量は、補強板７２上に配置される第１カラー部材７３及び第２カラー部材７４の高さによって規制されるため、熟練者でなくとも圧縮機１１を床板上に固定することができる。
【００２５】
以上、本実施形態によれば、密閉容器６１内に電動要素と、この電動要素により駆動され冷媒を圧縮する回転圧縮要素とを収容した圧縮機１１を室外機２の底板１０に固定する圧縮機１１の固定構造において、密閉容器６１に設けられた脚片部６２と底板１０上に配置された補強板７２との間に介装されるマウントゴム６３を備え、このマウントゴム６３は、脚片部６２と補強板７２とを締結するボルト６５が貫通する貫通孔６３Ａを備え、この貫通孔６３Ａには、ボルト６５を囲うようにマウントゴム６３よりも硬いカラー部材７０を配置し、このカラー部材７０を補強板７２に溶接するとともに当該カラー部材７０にボルト６５と螺合する雌ねじ部７６を設けたため、この雌ねじ部７６に螺合されたボルト６５及びカラー部材７０が補強板７２上を移動することが規制される。このため、カラー部材７０がマウントゴム６３の変形を抑制することにより、圧縮機１１の起動時にボルト６５に生じる応力を緩和することができる。
さらに、カラー部材７０に雌ねじ部７６を設けたため、このカラー部材７０に挿し込まれたボルト６５を簡単に雌ねじ部７６に止めることができ、圧縮機１１の固定作業を簡単に行うことができる。
【００２６】
また、本実施形態によれば、カラー部材７０は、ボルト６５のねじ部６５Ａが遊嵌される第１カラー部材７３と、この第１カラー部材７３の下端部７３Ｂが挿し込まれて当該第１カラー部材７３を支持する支持部７５及び雌ねじ部７６を同心上に有する第２カラー部材７４とを備え、この第２カラー部材７４を補強板７２に固着したため、第１カラー部材７３と第２カラー部材７４とを分割することにより、この第２カラー部材７４を補強板７２に溶接した場合に、この補強板７２の凹凸を抑えることができ、当該補強板７２の取り扱いが容易になる。さらに、第１カラー部材７３として既存のパイプを使用することができるため、第２カラー部材７４を簡単な形状とすることができ、当該第２カラー部材７４を安価かつ簡単に製作することができる。さらに、第２カラー部材７４は、支持部７５及び雌ねじ部７６を同心上に有するため、この支持部７５に第１カラー部材７３を挿し込んだ際に、当該第１カラー部材７３に挿入されたボルト６５を簡単に雌ねじ部７６に止めることができる。
【００２７】
また、本実施形態によれば、第２カラー部材７４は、支持部７５と雌ねじ部７６とを一体に形成されているため、当該支持部７５と雌ねじ部７６とを同心上に精度良く形成できる。
【００２８】
また、本実施形態によれば、カラー部材７０は、補強板７２側に配置される第２カラー部材７４の支持部７５が第１カラー部材７３よりも太く形成されるため、補強板７２に溶接された第２カラー部材７４の支持部７５の強度を向上させることができ、脚片部６２から受けたせん断応力によって、カラー部材７０全体に作用する曲げモーメントによる当該カラー部材７０のひずみを小さく抑えることができる。従って、マウントゴム６３の変形をさらに抑えることができるため、圧縮機１１の起動時にボルト６５に生じる応力を緩和することができる。
【００２９】
また、本実施形態によれば、カラー部材７０は、補強板７２上に載置した際に補強板７２の載置面と当接する第２カラー部材７４の当接面７５Ｃから第１カラー部材７３の上端部７３Ｃの上面７３Ｃ１までの高さをマウントゴム６３の貫通孔６３Ａと略同じ高さに形成されているため、平ワッシャ６４付きのボルト６５でマウントゴム６３を補強板７２に締結する際には、カラー部材７０がボルト６５の締め付け位置を規制することにより、マウントゴム６３には、ボルト６５の締め付けによる過剰な垂直方向の軸力がかからない。このため、マウントゴム６３の柔軟性を維持することができ、圧縮機１１が運転中に発生する振動をマウントゴム６３が吸収することができ、底板１０及び補強板７２への振動の伝達を抑制できる。
【００３０】
また、本実施形態によれば、圧縮機１１は、電動要素が電源周波数に依存した回転数で回転する定速圧縮機であるため、起動時に急激に発生する大きな回転トルクが作用する場合であっても、カラー部材７０がマウントゴム６３の変形を抑制することにより、圧縮機１１の起動時にボルト６５に生じる応力を緩和することができる。
【００３１】
次に、別の実施形態について説明する。
この別の実施形態では、第２カラー部材の形状が上記した実施形態のものと異なる。図６は、この第２カラー部材を用いた圧縮機の固定構造を示す側断面図であり、上記した実施形態と同一の構成については同一の符号を付して説明を省略する。
カラー部材１７０は、図６に示すように、上記した第１カラー部材７３と、この第１カラー部材７３と支持する第２カラー部材１７４とを備える。この第２カラー部材１７４は、第１カラー部材７３の下端部７３Ｂが挿入されて当該第１カラー部材７３を支持する支持部１７５と、この支持部１７５と同心上に形成され、第１カラー部材７３に挿入されたボルト６５と螺合する雌ねじ部１７６と、これら支持部１７５と雌ねじ部１７６との間に円板状に形成される鍔部１７７とを備える。この鍔部１７７は、補強板７２の下面側に位置し、当該補強板７２に溶接するための部材である。この実施形態では、溶接するための鍔部１７７を備えるため、補強板７２と第２カラー部材１７４とを強固に連結できる。また、この実施形態では、支持部１７５を補強板７２の下面側まで設けることができるため、第１カラー部材７３と第２カラー部材１７４との連結強度を高めることができる。
【００３２】
以上、本実施形態に基づいて本発明を説明したが、本発明はこれに限定されるものではない。例えば、本実施形態では、起動時に密閉容器６１に大きなトルクを発生させる定速の圧縮機１１を固定するための固定構造として説明したが、いわゆるインバータ圧縮機の固定構造に採用しても良い。本実施形態では、カラー部材７０を円筒状の第１カラー部材７３と、この第１カラー部材７３の下端部７３Ｂが挿し込まれて当該第１カラー部材７３を支持する第２カラー部材７４とを備える構成としたが、これらを一体に形成しても構わないことは勿論である。
【００３３】
また、上記した実施形態では、第２カラー部材７４、１７４は、支持部７５、１７５と雌ねじ部７６、１７６とを一体に形成する構成としていたが、これに限るものではなく、支持部を構成する円筒状の部材の下端にナットを溶接等により固着する構成としても良い。この構成では、既存の部品を組み合わせて第２カラー部材を形成することができるため、安価に第２カラー部材を製作できる。
【符号の説明】
【００３４】
２  室外機
１０  底板
１１  圧縮機
６１  密閉容器
６２  脚片部
６３  マウントゴム（防振部材）
６３Ａ  貫通孔
６５  ボルト（締結具）
７０、１７０  カラー部材
７２  補強板（底板）
７２Ａ  開口
７３  第１カラー部材（先端部）
７４、１７４  第２カラー部材
７５、１７５  支持部（基端部）
７６、１７６  雌ねじ部
【図１】
0005873991.tif 000002
【図２】
0005873991.tif 000003
【図３】
0005873991.tif 000004
【図４】
0005873991.tif 000005
【図５】
0005873991.tif 000006
【図６】
0005873991.tif 000007